(57)【要約】  本発明は、携帯が容易なワイングラスに関し、より詳細には、ワインを注いで飲むことができる収容部と、ステムが突き出て形成されたプレートとを、磁石を用いて着脱自在に結合し、ワイングラスを携帯しようとする場合には、プレートが収容部の上部を覆う蓋の機能をし、異物が収容部の内部に侵透することを防ぎ、磁石を用いて収容部とステムとを結合することで収容部の底面に孔を形成しなくても良いので、ワイングラスの収容部にワインを注いだ際に、ワインが漏れることを心配しなくても良いようにした、携帯が容易なワイングラスに関する。【選択図】図３
2015500697.tif 000002
【特許請求の範囲】
【請求項１】
収容部１０とステム２０が形成されたプレート３０により構成される公知のワイングラス１を含む、携帯が容易なワイングラスにおいて、
収容部１０とステム２０が形成されたプレート３０を分離して構成し、
前記収容部１０の底面部の中央に結合溝１１を形成し、
結合溝１１の内側に金属板１２を挟んで設け、
ステム２０の上部の末端に挟み込み溝２１を形成し、
前記金属板１２に取り付くための磁石２２を挟み込み溝２１に結合し、
ワイングラスを携帯する際に、収容部１０の底面を介して金属板１２と磁石２２とが取り付くように、ステム２０を収容部１０の上側から結合し、プレート３０が収容部１０の開口端を遮断するように構成したことを特徴とする、携帯が容易なワイングラス。
【請求項２】
プレート３０の上部面の外郭に、収容部１０の開口端の内側に挟まれる段差部３１をさらに形成したことを特徴とする。請求項１に記載の携帯が容易なワイングラス。
【発明の詳細な説明】
【技術分野】
【０００１】
本発明は、携帯が容易なワイングラスに関し、より詳細には、ワインを注いで飲むことができる収容部と、ステムが突き出て形成されたプレートとを、磁石を用いて着脱自在に結合し、ワイングラスを携帯しようとする場合には、プレートが収容部の上部を覆う蓋の機能をし、異物が収容部の内部に侵透することを防ぎ、磁石を用いて収容部とステムとを結合することで収容部の底面に孔を形成しなくても良いので、ワイングラスの収容部にワインを注いだ際に、ワインが漏れることを心配しなくても良いようにした、携帯が容易なワイングラスに関する。
【背景技術】
【０００２】
一般的にワインは、ぶどうを自然的に発酵して生成するものであって、このように生成されたワインは、各種ミネラル及びビタミンを含有していると共に、抗酸化剤を含んでおり、心臓疾患及び老人の退行性疾患などの治療などで効果的なものとして知られている。
【０００３】
このように抗酸化剤の効果及び生活水準の発達により、ワインの消費量が増加しており、このワインの消費量の増加により多様なワイングラスが開発され、消費者に提供されているが、ワイングラスのサイズが大きく変わっていない状態を維持しながら、消費者にワイン固有の香りと味を楽しませることが可能になった。
【０００４】
図４は、従来のワイングラスを示す図である。
【０００５】
前記ワイングラスは、ワインを注ぎ入れることができる収容溝１０１が備えられた収容部１００を、上側は細くて下側は広い球状に形成し、その収容部１００の下端には、一体型でステム１１０が形成されており、収容部１００の内部にあるワインを手で撮んで飲むことができ、前記ステム１１０の下端にはプレート１２０を形成することで、前記プレート１２０によってワイングラスが地面に立てられる。
【０００６】
すなわち、ワイングラスは、一体型で側断面が「上がＵ下が⊥」字状に形成されるものであり、このようなワイングラスのステム１１０を手で把持した状態で、収容部１００にあるワインを飲むことができるのである。
【０００７】
ところが、従来のワイングラスは、収容部１００とステム１１０がプレート１２０に一体型で形成されることで、前記ワイングラスのサイズにより携帯が不便になる問題が発生していた。
【０００８】
また、ワイングラスの収容部１００は、上端の厚さは薄く、下端に行くほど厚い形態を維持しているため、ワイングラスを携帯する途中で衝撃によりワイングラスの上端が壊れてしまう問題が発生していた。
【０００９】
さらに、ワイングラスを携帯するとしても、収容部１００の収容溝１０１の内部に異物が入ってしまうため、ワイングラスにワインを注いで直ちに飲むことができない問題が発生していた。
【発明の概要】
【発明が解決しようとする課題】
【００１０】
よって、上記のような問題点を解決するための本発明は、ワインを注いで飲むことができる収容部と、ステムが突き出て形成されたプレートとを、磁石を用いて着脱自在に結合し、ワイングラスを携帯しようとする場合には、プレートが収容部の上部を覆う蓋の機能をし、異物が収容部の内部に侵透することを防ぎ、磁石を用いて収容部とステムとを結合することで収容部の底面に孔を形成しなくても良いので、ワイングラスの収容部にワインを注いだ際に、ワインが漏れることを心配しなくても良いようにした、携帯が容易なワイングラスを提供することを目的にする。
【課題を解決するための手段】
【００１１】
上記の目的を達成するための本発明は、収容部とステムが形成されたプレートで構成される公知のワイングラスを含む、携帯が容易なワイングラスにおいて、収容部とステムが形成されたプレートとを分離して構成し、前記収容部の底面部の中央に結合溝を形成し、結合溝の内側に金属板を挟んで設け、ステムの上部の末端に挟み込み溝を形成し、前記金属板に取り付くための磁石を挟み込み溝に結合し、ワイングラスを携帯する際、収容部の底面を介して金属板と磁石とが取り付くように、ステムを収容部の上側から結合してプレートが収容部の開口端を遮断するように構成したことを特徴とする。
【発明の効果】
【００１２】
本発明によると、ワイングラスを携帯しようとする場合には、プレートが収容部の上部を覆う蓋の機能をし、異物が収容部の内部に侵透することを防ぎ、磁石を用いて収容部とステムとを結合することによって、収容部の底面に孔を形成しなくても良いので、ワイングラスの収容部にワインを注いだ際に、ワインが漏れることを心配しなくても良い効果が期待できる。
【図面の簡単な説明】
【００１３】
【図１】本発明の携帯が容易なワイングラスを示す分解断面図である。
【図２】本発明の携帯が容易なワイングラスが結合された状態を示す断面図である。
【図３】本発明のワイングラスを携帯するために、収容部の上側にステムを結合した状態を示す断面図である。
【図４】従来のワイングラスを示す図面である。
【発明を実施するための形態】
【００１４】
以下、添付した図１ないし図３を参照して、本発明の好ましい実施形態を説明すると、次のようである。
【００１５】
上記の図面によると、本発明は、収容部１０とステム２０が形成されたプレート３０により構成される公知のワイングラス１を含む、携帯が容易なワイングラスにおいて、収容部１０とステム２０が形成されたプレート３０を分離して構成し、前記収容部１０の底面部の中央に結合溝１１を形成し、結合溝１１の内側に金属板１２を挟んで設け、ステム２０の上部の末端に挟み込み溝２１を形成し、前記金属板１２に取り付くための磁石２２を挟み込み溝２１に結合し、ワイングラスを携帯する際に、収容部１０の底面を介して金属板１２と磁石２２とが取り付くように、ステム２０を収容部１０の上側から結合し、プレート３０が収容部１０の開口端を遮断するように構成したことを特徴とする。
【００１６】
また、プレート３０の上部面の外郭に、収容部１０の開口端の内側に挟まれる段差部３１をさらに形成したことを特徴とする。
【００１７】
本発明のワイングラスは、分離及び結合が容易であり、携帯する際には、プレート３０がワイングラスの収容部１０の開口端を密閉することで、異物が収容部１０の内側に侵透することを防ぎ、携帯が非常に簡便であると共に、清潔さが維持できるワイングラスに関する。
【００１８】
図面に示すように、本発明のワイングラスは、ワインを注いで入れることができるように凹んで形成された収容部１０と、収容部１０の下側に結合されるステム２０、及びステム２０の下部を形成するプレート３０に大別して構成される。
【００１９】
前記収容部１０とプレート３０は、互いに分離して構成される。
【００２０】
前記収容部１０の底面部の中央に、図１に示すように、結合溝１１を形成し、結合溝１１の内側の上端には、後述する磁石２２が取り付くための金属板１２を挟んで結合する。
【００２１】
さらに、ステム２０の上部の末端に挟み込み溝２１を凹入して形成し、この挟み込み溝２１に円柱状の磁石２２を挟んで結合する。
【００２２】
この際、磁石２２の上部が挟み込み溝２１の上側に露出されるようにすることが好ましい。
【００２３】
また、前記結合溝１１は、下部が大直径を、上部が小直径を有するように、段差を有して形成し、ステム２０の上部が結合溝１１の大直径に挟まれると共に、磁石２２が結合溝１１の小直径に挟まれるように形成することが好ましい。
【００２４】
本発明のワイングラスを、図２に示すように、正常的なワイングラスとして使おうとする際には、ステム２０を収容部１０の底面部に形成された結合溝１１に挟み込み、磁石２２が金属板１２に取り付くことで、収容部１０、ステム２０、プレート３０からなる非常に堅固なワイングラスが形成される。
【００２５】
本発明のワイングラスは、収容部１０に孔が空けられていないため、収容部１０にワインを注いだ際に、ワインが漏れることを心配する必要がない。
【００２６】
一方、本発明のワイングラスを携帯しようとする場合には、図３に示すように、ステム２０を収容部１０の開口端に挿入し、ステム２０の末端に突き出されている磁石２２が、収容部１０の底面を介して結合溝１１に挟まれている金属板１２に密着されるようにすることで、プレート３０が収容部１０の開口端を密閉する一つの球状になるのである。
【００２７】
使用者は、図３に示すように、収容部１０の内部が密閉するように結合されてサイズが縮小したワイングラスを、リュックサックに入れて安全に携帯できるようになる。
【００２８】
さらに、プレート３０が収容部１０の開口端を密閉する際に、プレート３０の上部面の外郭に形成された段差部３１が、収容部１０の開口端の内側に挟まれて結合されるので、収容部１０の内部を完全に密閉するようになり、異物の浸透を完全に遮断することが可能になる。
【最良の態様】
【００２９】
本発明は、収容部とステムが突き出て形成されるプレートを、磁石を用いて着脱自在に結合し、プレートが収容部の上部を覆う蓋の機能をして、ワイングラスの携帯を可能にしたものである。
【符号の説明】
【００３０】
１０…収容部、１１…結合溝、１２…金属板、２０…ステム、２１…挟み込み溝、２２…磁石、３０…プレート、３１…段差部。
【図１】
2015500697.tif 000003
【図２】
2015500697.tif 000004
【図３】
2015500697.tif 000005
【図４】
2015500697.tif 000006
【国際調査報告】
2015500697.tif 000007
2015500697.tif 000008
2015500697.tif 000009
2015500697.tif 000010